(57)【特許請求の範囲】
【請求項１】
組織外転デバイスであって、
ａ）送達シースと、
ｂ）各々が組織係合特徴を有する複数の細長い部材を有する組織係合要素であって、該組織係合要素は、それが該送達シースの中に含まれる第１の形態であることが可能であり、また、各細長い部材の組織係合特徴が該送達シースの外側面を越えて伸び、細長い部材が送達シースの長手方向中線に向かって伸びている第２の形態であることが可能である、組織係合要素と、
ｃ）前記送達シース内に設けられた複数のロケータ部材であって、前記組織係合要素が組織に係合する前に、該ロケータ部材が穿刺する組織の位置を特定する形態に到達するように該送達シース内に設けられた複数のロケータ部材と、
を備える、組織外転デバイス。
【請求項２】
各細長い部材が、組織に係合するように適合された端を有しており、前記第１の形態にあるときには、該細長い部材は前記送達シースの軸に実質的に平行に該送達シースの中に存在し、前記第２の形態にあるときには、該細長い部材は該軸から離れるように湾曲する、請求項１に記載の組織外転デバイス。
【請求項３】
前記細長い部材は、尖った端を有する、請求項２に記載の組織外転デバイス。
【請求項４】
前記組織係合要素は、金属を含む、請求項１に記載の組織外転デバイス。
【請求項５】
前記組織係合要素は、生体吸収性のポリマ、生体吸収性の化合物、非吸収性の合金、非吸収性の化合物、ステンレス鋼、ＭＰ３５、ニチノール、ニッケル−チタン合金、ケブラー、ナイロンポリエステルアクリル樹脂、金、プラチナ、タンタル、ニオブ、モリブデン、ロジウム、パラジウム銀、ハフニウム、タングステン、イリジウム、人工筋肉、形状記憶合金、またはそれらの組み合わせを含む、請求項１に記載の組織外転デバイス。
【請求項６】
前記組織係合要素は、引き込み要素に取り付けるように適合された固定具を備えている、請求項１に記載の組織外転デバイス。
【請求項７】
前記組織係合要素は、前記送達シースに対して該送達シースの軸に沿って動くことができ、該軸に沿って該送達シースの端を通過する該組織係合要素の動きは、該組織係合要素が前記第２の形態に到達することを可能にし、該送達シースの該端の中への該組織係合要素の動きは、該組織係合要素を前記第１の形態に到達させる、請求項１に記載の組織外転デバイス。
【請求項８】
複数の組織係合要素を備えており、該組織係合要素は、前記送達シースに対して外側に曲がるかまたは湾曲することにより、前記第２の形態に到達する、請求項１に記載の組織外転デバイス。
【請求項９】
前記組織係合要素は、前記デバイスに取り付けられたプランジャおよびフランジの活動
によって前記第２の形態に到達するために作動され得る、請求項１に記載の組織外転デバイス。
【請求項１０】
複数の組織係合要素を備えており、該組織係合要素は、前記送達シースに中の個々の管
腔の中に動くことができるように取り付けられている、請求項１に記載の組織外転デバイス。
【請求項１１】
複数の組織係合要素を備えており、該組織係合要素は、前記第２の形態にあるときには、前記送達シースの管腔を交差する、請求項１に記載の組織外転デバイス。
【請求項１２】
複数の組織係合要素を備えており、該組織係合要素は、組織係合要素が前記第２の形態にあるときには、尖った幾何学的角度を含む、請求項１に記載の組織外転デバイス。
【請求項１３】
複数の組織係合要素を備えており、該組織係合要素は柱状要素に取り付けられ、該柱状要素は、前記送達シースに滑動するように係合する、請求項１に記載の組織外転デバイス。
【請求項１４】
組織係合要素が第２の形態にあるときには、複数の細長い部材は、交差するように互いに重なり合う、請求項１に記載の組織外転デバイス。
【請求項１５】
送達シースを包囲する縫合糸イントロデューサシースと、
縫合糸イントロデューサシース内に配置された縫合糸と
を更に備える、請求項１に記載の組織外転デバイス。
【請求項１６】
組織係合要素が第２の形態にあるときには、組織係合要素が、尖った端を有するフック状部分を有する、請求項１に記載の組織外転デバイス。
【請求項１７】
組織係合要素が第２の形態にあるときには、係合特徴の尖った端が、送達シースの外面に面している、請求項１６に記載の組織外転デバイス。
【請求項１８】
組織係合要素が第２の形態にあるときには、細長い部材が、互いに向けて湾曲する、請求項１に記載の組織外転デバイス。
【発明の詳細な説明】
【技術分野】
【０００１】
（技術分野）
本発明は、人間および動物における穿刺孔および開口を閉鎖する方法および装置に関し、かつ、このような装置をこのような組織の中に挿入して、このような閉鎖機能を果たす方法および装置に関する。
【背景技術】
【０００２】
（背景技術）
本出願は、２００５年８月２４日出願の米国仮特許出願第６０／７１１，２７９号と、２００５年１２月２３日出願の米国特許出願第１１／３１６，７７５号とに関し、該出願のそれぞれが本明細書において参考として援用される。血管造影および関連処置の間、カテーテルが、一般的には、患者の股間、首または鎖骨下部の領域における動脈または静脈にアクセスするために、皮膚および下層の組織における切り傷または穿刺孔を通して挿入される。カテーテルは血管内の穿刺孔を通して挿入されて所望の部位に導かれ、血管造影、血管形成、血小板の除去および治療物質の注入のような介入処置を行い得る。処置が完了し、カテーテルが取り除かれた後、アクセス穴は大量の出血を防止するために閉鎖されなければならない。これは、従来的には、手動で血管を覆うように圧力を加え、次に、圧迫帯、圧縮おもり、またはクランプデバイスを適用することによって達成される。従来的な方法を用いると、穿刺後の出血の割合が高く、このことがかなりの合併症をもたらす。この合併症は、ヘパリンまたはワルファリンのような抗血液凝固薬剤の付随的な使用、および脈管の病気を治療するために通常使用される抗血小板の薬物によって悪化される。
【０００３】
縫合糸は血管内のアクセス穿刺傷を閉鎖するために使用されてきた。ＵＳ０５６１３９７４は、脈管の穿刺孔に縫合糸を適用するデバイスおよび方法を記述する。特許文献１は、穿刺孔の部位に並置するとげ状の縫合糸型材料を記述する。特許文献２は、脈管の穿刺孔に縫合糸を適用するデバイスおよび方法を記述する。これらの方法に関する問題点は、針を配備し、縫合糸をとらえ、縫合糸を引き抜き、結び目を結び、縫合糸を切断するために必要とする非常に多くのステップを含む。さらに、血管内の穴は多くの場合に機器の挿入によって広げられ、縫合糸は内皮表面で脈管内に残り、後の自然発生的かつ悲劇的な管の閉鎖を伴う血栓または脈管壁の肥厚に対する病巣となり得る。
【０００４】
脈管外プラグも、脈管の穿刺孔の閉鎖のために提案されている。ＵＳ０５２５４１０５とＵＳ０５３３０４４５とは脈管外プラクを記述しており、該脈管外プラグは、カテーテルまたはイントロデューサの外側表面を滑り降り、この方法で穿刺孔部位の中に配置される。ＵＳ０５６４３３１８は、自身の管のロケータデバイスを有する同様なデバイスに関する。ＵＳ２２０２２８２２号と特許文献３とは、専用のシステムを用いて送達される脈管外プラグを記述する。ＵＳ２４２１５２３２は検出ポートを有するシースを用いて置かれた管内アンカを有する脈管外プラグを記述する。特許文献４は、脈管内アンカを用いて適切に保持された脈管外コラーゲンプラグと、一本の縫合糸を覆ってロックするデバイスとを記述する。ＵＳ０５９０６６３１は、親水性の材料で作られたプラグを記述する。ＵＳ０６１２６６７５は、脈管内アンカと生体吸収性の脈管外プラグとを記述する。ＵＳ０６６２３５０９は、親水性のプラグを記述する。ＵＳ０６２９６６５７とＵＳ０６７４３１９５とは、穿刺部位に圧力をかける膨張性のバルーンを記述する。ＵＳ０６５６９１８５は、注入可能な脈管プラグを記述する。ＵＳ０６６６３６５５は、穿刺区域にねじ込むプラグを記述する。特許文献５は、管内バルーンと注入可能な密閉材との組み合わせを記述する。これらの方法の不利な点は、脈管内プラグまたはアンカと関連する血栓の高い可能性と、コラーゲンまたは他の親水性の材料の存在とに関連しており、コラーゲンまたは他の親水性の材料の存在は、炎症をもたらし、クロットのカスケードを活性化し、血栓の可能性を増加させ、動脈系においては悲劇的なものになる。
【０００５】
脈管パッチがまた血管を治療するために使用されているが、通常は、損傷の大きい面積に対してのみ使用されている。ＵＳ０５１００４２２は、損傷した血管の外側表面に縫合される脈管パッチを記述している。ＵＳ０５１００４２２は、染み込まされた接着剤とそれを行うデバイスによって達成される脈管パッチを記述する。これらは、概して、カテーテルを基礎にした方法にとっては実用的ではない。ＵＳ０６２４８１２４とＵＳ０５５０７７４４とは、脈管の穿刺孔を密閉するために電気焼灼を使用するデバイスおよび方法を記述する。これはまた複雑なデバイスを必要とし、穿孔および血栓が非常に高い現実性のものとなる。
【０００６】
カテーテルデバイスを介して送達される脈管クリップまたはステープルがまた提案されている。これらのデバイスは、組織の縁をまとめる貫通部材を有する。ＵＳ０６６９５８６７は、専用のデバイスによって送達されるクリップまたはステープルを記述する。ＵＳ０６７４９６２２は、尖ったとげまたは端を有する多数の様々なクリップを記述しており、該クリップは、形状記憶特性を有する金属で作られた脈管内の部分と脈管外の部分との両方を含む。ＵＳ０５８６１００５は、専用のデバイスを用いて送達される動脈ステープルを記述している。ＵＳ０５９１９２０７は、長いフック状のワイヤに基づいたステープリングシステムを記述しており、該長いフック状のワイヤは表面に並置しており、病変を閉鎖する小さいステープルガンを有する。ＵＳ０６０２２３７２は、同様なステープルガンを記述する。ＵＳ０６２９６６５７とＵＳ０６６６３６５５とＵＳ０６７４９６２１とは、管の外側にあるが、穿刺孔の両側をクリッピングするクリップと、それを達成するためのデバイスとを記述する。特許文献６と特許文献７とが、２つのプロングまたはフックから構成されるクリップデバイスを記述しており、該クリップデバイスは、プロングの方向に従って、プロングを押しやるカラーまたは他のメカニズムの使用を介して、脈管内または脈管外の位置から穿刺孔部位をクリッピングし得る。これらのクリップデバイスは、厚い半硬質の材料から構成されており、専用の機器のみを用いて配置され得るが、硬さのために、血管を傷つけるまたは切断する大きな可能性がある。これらのクリップデバイスの不利な点は、概略的には、誤配置された場合のデバイスを引き取ることの困難さと、過度の操作が必要とされることと、血管を切断または剪断するようなクリップ材料の厚さと、ステープルを湾曲させてクリップを固定するために使用されなければならない大きな力と、血管の破れの増加する可能性と、血管に加えられる力の制御の全体的な欠如とを含む。
【特許文献１】米国特許出願公開第２００４／００９３０２７号明細書
【特許文献２】米国特許出願公開第２００５／０１２１０４２号明細書
【特許文献３】米国特許出願公開第２００４／０１５８２８７号明細書
【特許文献４】米国特許出願公開第２００５／００８５８５５号明細書
【特許文献５】米国特許出願公開第２００４／０１４３２９０号明細書
【特許文献６】米国特許第５７８２８６１号明細書
【特許文献７】米国特許第５９６４７８２号明細書
【発明の開示】
【発明が解決しようとする課題】
【０００７】
従って、脈管の穿刺孔または他の開口部の閉鎖に適し、かつ、従来のアプローチの欠点を被らない方法および装置に対するニーズが存在する。
【課題を解決するための手段】
【０００８】
（発明の開示）
脈管の穿刺孔または他の開口部の閉鎖に適し、かつ、従来のアプローチの欠点を被らない方法および装置を、本発明は提供する。
【０００９】
本発明に従った装置は、血管内の穿刺傷を通して挿入され得るツールを備え、複数の部材の伸長によって血管の中で開き、部材は、血管の内側から管壁に係合し、および／または管壁を貫通し、部材は、部材の牽引および幾何形状の組み合わせによって管壁を並置させ、部材は血管をし得、その結果、閉鎖デバイスが並置／外転デバイスと、血管の外側に配置された閉鎖デバイス（該閉鎖デバイスは、外側の縫合糸または外側のクリップであり得る）を覆って挿入され得、部材が血管の傷の縁が動くことを防止すると、閉鎖デバイスは穿刺傷の外転された縁をつかんで係合し、最終的に、傷外転デバイスを取り除くか、または傷外転デバイスを脱着し、外転された傷の縁の近位に閉鎖デバイスを残す。
【００１０】
本発明はまた、本発明に従ったデバイスを使用する方法と、本明細書において記載されるようなデバイスを使用して開口の縁を並置させる方法とを包含する。
【００１１】
本発明に従ったデバイスは、例えば、形状記憶特性を有する収縮可能または伸長可能である材料を利用し得、該形状記憶特性がデバイスの部材を開くことを可能にし、血管の穿刺傷に自発的に係合される。このようなデバイスの部材は、編物状把持面、組織フック、またはペネトレータを有し、管壁をつかんでデバイスを安定させ得る。このようなデバイスは、自発的な開閉特性を使用し、穿刺孔の部位の縁をつかみ、それらを閉鎖し、完全な脈管の閉鎖をもたらし得る。このようなデバイスは、送達シースによって、収縮されたまたは伸された状態（形状記憶材料の高エネルギー状態）において維持され、送達シースから押し出されたときには、機能的な閉鎖形態（形状記憶材料の低エネルギー状態）をとる。
【発明を実施するための最良の形態】
【００１２】
本発明は、実施形態の例と対応する図面とを使用することによって述べられ、該実施形態の例と対応する図面とは、本明細書の一部分に援用されかつ本明細書の一部分を形成する。
【００１３】
（発明を実行するためのモードと産業上利用可能性）
本発明は、例えば、脈管カテーテルまたは外科用機器の挿入、外傷または病気からもたらされるもののような、脈管の穿刺傷またはあらゆる組織の開口を閉鎖する装置および方法を提供する。本発明は、脈管の穿刺孔を閉鎖する装置と方法との両方を包含する。本発明に従ったデバイスは脈管シースに挿入され、シースが取り除かれるかまたは引き戻され、閉鎖デバイスがエバータデバイスを覆って配置され、血管の中にグラスパを伸ばすことによってエバータデバイスが作動され、グラスパが血管壁に向かって引き上げられて貫通し、傷の縁が外転して並置され、閉鎖デバイスの中で止められ、最終的に、脈管外クリップ、脈管外縫合糸、脈管外接着剤またはパッチ、脈管外の熱凝固によって、または外転された傷の縁のリップを通して配置されるステープルまたは縫合糸によってグラスパの遠位において閉鎖される。この性質は、掴握デバイスの少なくとも一部分を形状記憶の金属または材料で形成することによって提供され得る。緊張を加えられていない状態は、装置が血管の穿刺傷の外転された縁の上で閉鎖される状態に対応し、緊張を加えられた状態は、デバイスが開かれ送達シースに据えられるときである。本発明に従った組織閉鎖並置デバイスの例示的な実施形態は、図１、図２、図３、および図４に示されている。記述は、利便性のために「管」を呼び得るが、本発明は様々なタイプの組織の開口部の閉鎖を容易にするために適用可能である。
【００１４】
図１（ａ、ｂ、ｃ、ｄ）は、穿刺傷エバータデバイスの概略的な例示である。図１ａは、閉鎖された状態（高エネルギー状態）における穿刺傷エバータデバイスの側面切断図である。複数の掴握部材１０１（概ね、最少で２つの部材、または少なくとも２つの位置における掴握組織）が引き込まれた状態にあり、シース１０２が掴握部材を含む。このシースはガイドワイヤを収容し得るか、または別の実施形態においては、シースまたは閉鎖デバイスを通して挿入され、ガイドワイヤのように使用され得る。図１ｂは、引き伸ばされたまたは開かれた状態（低エネルギー状態）における同じデバイスの側面図であり、掴握部材１０３が引き伸ばされ、上に湾曲して血管壁に係合および／または血管壁を貫通する。図１ｃは、掴握部材を伸ばすプランジャメカニズム１０４とデバイスを制御するフィンガフランジまたはレスト１０５とを有する、引き込まれた状態にある外転デバイスの側面図である。図１ｄは、プランジャメカニズム１０６を押すことによって伸びる掴握部材を有する同じデバイスである。
【００１５】
図１において、シース１０２に中に収容され得るガイドワイヤによって、外転デバイスが穿刺傷に中に配置され得、この事例においては、外転デバイスはガイドワイヤを覆って配置され、穿刺傷を通して血管の中に押される。次に、閉鎖デバイスがエバータデバイスを覆って配置され、終端が外側の血管壁で止められる。次に、外転部材が伸ばされ、デバイスが血管壁に向かって引き上げられ、外転された傷の縁が閉鎖デバイスの中に引き込まれて保持され、その後、ガイドワイヤが取り除かれ、閉鎖メカニズムが閉鎖デバイスによって適用され、外転部材に対して遠位において傷の縁を閉鎖させる。この時点において、外転部材は引き込まれ、閉鎖デバイスと外転デバイスとの両方が取り除かれ、血管の外側表面に適切に閉鎖メカニズムを残す。
【００１６】
あるいは、図１において、外転デバイスを内部に収容し得るシースによって穿刺傷の中に、外転デバイスが配置され得る。外転デバイスシース１０２は、動作シースの中に配置され、既存のシースを通して穿刺傷の中と血管の内部管腔の中とに押される。次に、オペレータシースは取り除かれ、次に、閉鎖デバイスがエバータデバイスを覆って配置され、エバータデバイスがガイドワイヤとして使用され得る。閉鎖デバイスの終端は、外側の血管壁で止められる。次に、エバータデバイスのエバータ部材が伸ばされ、デバイスは血管壁に向かって引っ張られ、エバータ部材が血管壁を貫通してつかみ、外転されたデバイスが部分的に引き込まれ、外転された傷の縁が閉鎖デバイスの中に引き込まれて保持される。次に、閉鎖メカニズムが閉鎖デバイスによって適用され、外転された傷の縁を外転掴握部材に対して遠位に閉鎖させる。この時点において、外転部材は引き込まれ、閉鎖デバイスと外転デバイスとの両方が取り除かれ、血管の外側表面に適切に閉鎖メカニズムを残す。
【００１７】
図１は、例示の目的で２つの活動部材を提示する。デバイスは、少なくとも２つ（または活動部材が複数の位置において組織を掴握する場合には、１つ）の活動部材を備え得るが、あらゆる複数を含み得、適用可能な設計の考慮の範囲内で、できるだけ限り多くの活動部材が使用可能である。図においては活動部材の尖ったフック状部分として示されている組織係合特徴は、織り込まれた部分もしくは付属物か、並置している足、貫通デバイス、フック、歯との噛み合い部分か、または他の適応構造を備え、組織の強固な把持を可能にし得る。部材は形状記憶材料を備え、送達シースの中に適合し、送達されたときにはより低い姿勢をとり、伸ばされたときには広げられて管壁に係合する。
【００１８】
図２（ａ、ｂ、ｃ）は、本発明に従った穿刺傷のエバータデバイスが使用され得る方法の例を実証する。図２ａは、血管への挿入後のエバータデバイスの側面切断図であり、２０１はエバータデバイスシースであり、２０２は、引き込まれた（高エネルギー状態）掴握部材であり、２０３は、近位の管壁であり、２０４は、ガイドワイヤであり、２０５は、遠位の管壁である。図２ｂは、掴握デバイスが伸ばされたエバータデバイスを示し、図２ｂ−６は伸ばされた掴握部材であり、図２０７は近位の管壁を貫通する掴握部材である。図２ｃは、牽引を用いたエバータデバイスを示しており、２０８は、オペレータに向けて近位に引っ張られたエバータデバイスであり、該エバータデバイスは、管壁２０９を引き伸ばして外転し、並置して保持し、その結果、閉鎖デバイスが、外転された傷のへり２１０の首に置かれ得る。
【００１９】
図３（ａ、ｂ、ｃ、ｄ）は、本発明に従ったエバータデバイスが脈管外クリップまたはステープルを適用するために使用され得る方法を実証する。図３ａは、側面切断図であり、３０１は、閉鎖デバイスの排出部分であり、３０２は、脈管外クリップまたはステープルであり、３０３は、脈管外クリップまたはステープルの送達シースである。図３ｂは、外転された傷の縁に送達されて傷３０５を閉鎖するクリップ３０４の図である。図３ｃは、部材が引き抜かれ、ガイドワイヤ３０８を覆ってクリップまたはステープルを残しているエバータデバイス３０７を示す。図３ｄは、インサイチュに残されたクリップまたはステープルを示しており、クリップ３０９が適切に残されて、穿刺傷の縁３１０を完全に閉鎖している。
【００２０】
図４（ａ、ｂ、ｃ、ｄ、ｅ、ｆ、ｇ）は、閉鎖デバイスを挿入する方法の実証であり、この事例においては、脈管外の縫合糸である。図４ａは側面図であり、グリッパシース４０１がガイドワイヤ４０４を覆って配置され、その結果、シースの遠位の縁が、近位の血管壁４０３に対して内側に押されている。グリッパ部材４０２は伸ばされていない。図４ｂにおいては、グリッパ部材４０６が伸ばされ、近位の血管壁４０７を貫通するか、または把持する。図４ｃにおいて、次に、グリッパシースおよび部材４０８に牽引がかけられ、このことが傷の縁４０９を引っ張り、外転する。図４ｄにおいて、縫合糸イントロデューサシース４１０がグリッパシースを覆って配置され、縫合糸４１１が、４１２に含まれる縫合糸引き糸を引くことによって締められる。図４ｅにおいて、次に、縫合糸はガイドワイヤ４１４の周りで完全に閉鎖され、穿刺孔を閉鎖する。図４ｆにおいて、グリッパ部材４１５はエバータグリッパシースの中に引き込まれ、縫合糸ループ４１６が切断される。図４ｇにおいて、出血がない場合には、ガイドワイヤが取り除かれ、血管穿刺傷の外側縫合糸閉鎖４１７を残す。
【００２１】
図５（ａ、ｂ）は、図１のものと似た穿刺傷エバータデバイスの別の概略的な例示である。図５ａは、閉鎖された状態（高エネルギー状態）における穿刺傷エバータデバイスの側面断面図である。５０１は、引き込まれた状態における複数の掴握部材（最少で２つの部材を備えている）である。これらの掴握部材は内側管腔５０２に中に押し込まれており、該内側管腔５０２はエバータデバイスシースの中に保持されている。図５０３は、掴握部材を含むシースである。このシースはガイドワイヤを収容し得るか、または別の実施形態においては、シースまたは閉鎖デバイスを通して挿入され、ガイドワイヤのように使用され得る。図５ｂは、伸ばされたまたは開かれた状態（低エネルギー状態）における同じデバイスの側面図であり、掴握部材５０４が伸ばされ、上に湾曲して血管壁に係合するおよび／または血管壁を貫通する。またはこのデバイスは、図１の実施形態と同様に挿入され、動作され、かつ、使用され得る。図５は、例示の目的で２つの活動部材を提示する。デバイスは、少なくとも２つ（または活動部材が複数の位置において組織を掴握する場合には、１つ）の活動部材を備え得るが、あらゆる複数を含み得、適用可能な設計の考慮の範囲内で、できるだけ限り多くの活動部材が使用可能である。図においては活動部材の尖ったフック状部分として示されている組織係合特徴は、織り込まれた部分もしくは付属物か、並置足、貫通デバイス、フック、歯とかみ合う部分か、または他の適応構造を備え、組織の強固な把持を可能にし得る。部材は形状記憶材料を備え、送達シースの中に適合し、送達されたときにはより低い姿勢をとり、伸ばされたときには広げられて管壁に係合する。
【００２２】
図６（ａ、ｂ）は、図１のものと似た穿刺傷エバータデバイスの別の概略的な例示である。図６ａは、閉鎖された状態（高エネルギー状態）における穿刺傷エバータデバイスの側面断面図である。６０２は、引き込まれた状態における複数の掴握部材（最少で２つの部材を備えている）である。これらの掴握部材は内側管腔６０１に中に押し込まれており（または押し込まれておらず）、該内側管腔６０１は、掴握部材を含むシースであるエバータデバイスシース６０３の中に保持されている。この事例において、部材はシースを横切って交差する機能において伸ばされており、その目的は、その引き込み方法によって、傷の縁がより効果的かつより機械的に並置されることである。シースはガイドワイヤを収容し得るか、または別の実施形態においては、シースまたは閉鎖デバイスを通して挿入され、ガイドワイヤのように使用され得る。図６ｂは、伸ばされたまたは開かれた状態（低エネルギー状態）における同じデバイスの側面図であり、掴握部材６０４が伸ばされ、上に湾曲して血管壁に係合するおよび／または血管壁を貫通する。またはこのデバイスは、図１の実施形態と同様に挿入され、動作され、かつ、使用され得る。図６は、例示の目的で２つの活動部材を提示する。デバイスは、少なくとも２つの活動部材を備え得るが、あらゆる複数を含み得、適用可能な設計の考慮の範囲内で、できるだけ限り多くの活動部材が使用可能である。図においては活動部材の尖ったフック状部分として示されている組織係合特徴は、織り込まれた部分もしくは付属物、並置している足とかみ合う部分、貫通デバイス、フック、歯、または他の適応構造を備え、組織の強固な把持を可能にし得る。部材は形状記憶材料を備え、送達シースの中に適合し、送達されたときにはより低い姿勢をとり、伸ばされたときには広げられて管壁に係合する。
【００２３】
図７（ａ、ｂ）は、図１のものと似た穿刺傷エバータデバイスの別の概略的な例示である。図７ａは、閉鎖された状態（高エネルギー状態）における穿刺傷エバータデバイスの側面断面図である。７０２は、引き込まれた状態における複数の掴握部材（最少で２つの部材を備えている）である。これらの掴握部材は内側管腔７０１に中に押し込まれており（または押し込まれておらず）、該内側管腔７０１は掴握部材を含むシースであるエバータデバイスシース７０３の中に保持されている。この事例において、部材は尖った幾何学的角度で構成される。シースはガイドワイヤを収容し得るか、または別の実施形態においては、シースまたは閉鎖デバイスを通して挿入され、ガイドワイヤのように使用され得る。図７ｂは、伸ばされたまたは開かれた状態（低エネルギー状態）における同じデバイスの側面図であり、掴握部材７０４が伸ばされ、上に湾曲して血管壁に係合するおよび／または血管壁を貫通する。またはこのデバイスは、図１の実施形態と同様に挿入され、動作され、かつ、使用され得る。図７は、例示の目的で２つの活動部材を提示する。デバイスは、少なくとも２つの活動部材を備え得るが、あらゆる複数を含み得、適用可能な設計の考慮の範囲内で、できるだけ限り多くの活動部材が使用可能である。図においては活動部材の尖ったフック状部分として示されている組織係合特徴は、織り込まれた部分もしくは付属物、並置している足とかみ合う部分、貫通デバイス、フック、歯、または他の適応構造を備え、組織の強固な把持を可能にし得る。部材は形状記憶材料を備え、送達シースの中に適合し、送達されたときにはより低い姿勢をとり、伸ばされたときには広げられて管壁に係合し得る。
【００２４】
図８（ａ、ｂ、ｃ、ｄ）は、穿刺傷エバータデバイスの概略的な例示である。図８ａは、閉鎖された状態（高エネルギー状態）における穿刺傷エバータデバイスの側面切断図である。８０１は、引き込まれた状態における複数の掴握部材（最少で２つの部材を備えている）であり、この事例においては、部材がシースの中で曲げ返されており、８０２は、掴握部材を含むシースである。このシースはガイドワイヤを収容し得るか、または別の実施形態においては、シースまたは閉鎖デバイスを通して挿入され、ガイドワイヤのように使用され得る。図８ｂは、引き込まれたまたは閉鎖された状態（低エネルギー状態）における同じデバイスの側面図であり、掴握部材８０３が前に曲げられている。図８ｃは、伸ばされたまたは開かれた状態（低エネルギー状態）における同じデバイスの側面図であり、掴握部材８０４は引き伸ばされ、上に曲げられて血管壁に係合し、および／または血管壁を貫通し、該掴握部材８０４は、図８ａおよび図８ｂにおいて示されているデバイスの伸ばされた形式を表す。図８ｄは、引き込まれたまたは閉鎖された状態（高エネルギー状態）における同じデバイスの側面図であり、掴握部材８０５は、引き込まれて下に曲げられており、該掴握部材８０５は、図８ａおよび図８ｂにおけるデバイスの引き込まれた形状を表す。
【００２５】
図９（ａ、ｂ）は、図１のものと似た穿刺傷エバータデバイスの別の概略的な例示である。図９ａは、部分的に開かれた状態（低エネルギー状態への中間）における穿刺傷エバータデバイスの側面断面図である。９０１は、部分的に伸ばされた状態における複数の掴握部材（最少で２つの部材を備えている）である。図９ｂは、完全に伸ばされたまたは開かれた状態（低エネルギー状態）における同じデバイスの側面図であり、掴握部材９０２は広げられて互いに向けて湾曲し、その後、血管壁に係合するおよび／または血管壁を貫通する。この事例において、部材は、完全に伸ばされたときに、シースの中線に向けて動き、その目的は、伸長と引き込みとの間に、傷の縁がより効果的かつより機械的に並置されることである。またはこのデバイスは、先の例における実施形態と同じように、挿入され、動作され、使用される。デバイスは、少なくとも２つの活動部材を備え得るが、あらゆる複数を含み得、適用可能な設計の考慮の範囲内で、できるだけ限り多くの活動部材が使用可能である。図においては活動部材の尖ったフック状部分として示されている組織係合特徴は、織り込まれた部分もしくは付属物、並置している足とかみ合う部分、貫通デバイス、フック、歯、または他の適応構造を備え、組織の強固な把持を可能にし得る。部材は形状記憶材料を備え、送達シースの中に適合し、送達されたときにはより低い姿勢をとり、伸ばされたときには広げられて管壁に係合する。
【００２６】
図１０（ａ、ｂ、ｃ、ｄ）は、穿刺傷エバータデバイスの概略的な例示である。図１０ａは、閉鎖された状態（高エネルギー状態）における穿刺傷エバータデバイスの側面切断図である。図１００１は、引き込まれた状態における複数の掴握部材（最少で２つの部材を備えている）であり、この事例においては、部材が内側管腔１００２の中でおよび／またはシース１００３を用いて閉じられている。掴握部材は中実の部材１００４に取り付けられており、該中実の部材１００４は、ガイドワイヤのための内側管腔を有する中実または中空の柱状デバイスであり得るか、または自身がワイヤであり得る。このシースはガイドワイヤを収容し得るか、または別の実施形態においては、シースまたは閉鎖デバイスを通して挿入され、ガイドワイヤのように使用され得る。図１０ｂは、伸ばされたまたは開かれた状態（低エネルギー状態）における同じデバイスの側面図であり、掴握部材１００５が、掴握するまたは伸ばされた位置に伸ばされている。図１０ｃは、掴握部材を伸ばすプランジャメカニズム１００６とデバイスを制御するフィンガフランジまたはレスト１００７とを有する、引き込まれた状態にある外転デバイスの側面図である。図１０ｄは、プランジャメカニズム１００８を押すことによって伸びる掴握部材を有する同じデバイスである。
【００２７】
図１１（ａ、ｂ、ｃ、ｄ）は、穿刺傷エバータデバイスの概略的な例示である。図１１ａは、閉鎖された状態（高エネルギー状態）における穿刺傷エバータデバイスの側面切断図である。１１０１は、引き込まれた態における複数の掴握部材（最少で２つの部材を備えている）であり、この事例においては、部材が、（はずみ車メカニズムまたはギアと溝軸のメカニズムであり得る）機械メカニズム１１０２によって動かされる各軸で、内側から外側に回転し得、全部材が内側管腔１１０３の中でおよび／またはシース１１０３を用いて閉じられている。図１１ｂは、伸ばされたまたは開かれた状態における同じデバイスの側面図であり、掴握部材１１０４が、掴握するまたは伸ばされた位置に伸ばされている。図１１ｃは、掴握部材を伸ばすプランジャメカニズム１１０５とデバイスを制御するフィンガフランジまたはレスト１１０６とを有する、引き込まれた状態にある外転デバイスの側面図である。図１１ｄは、プランジャメカニズム１１０６を押すことによって伸びる掴握部材を有する同じデバイスである。
【００２８】
図１２（ａ、ｂ、ｃ、ｄ）は、例示的な穿刺傷エバータデバイスの概略的な例示である。図１２ａは、閉鎖された状態（高エネルギー状態）における穿刺傷エバータデバイスの側面切断図であり、該穿刺傷エバータデバイスは、血管の中の穿刺傷を通して配置される。１２０１は、引き込まれた状態における複数の掴握部材１２０２（最少で２つの部材を備えている）のための内側管腔であり、少なくとも２つの平行なロケータ部材がまた、エバータデバイスシース１２０４の中の管腔における１２０３を提示する。図１２ｂは、掴握部材１２０５は伸ばされていないが、ロケータ部材１２０６は伸ばされていることを実証する。見られ得るように、これらは貫通面を有していない。ロケータ部材は穿刺傷の内側の縁に向かって引っ張られ、傷のへりの位置を特定する。図１２ｃにおいて、傷のへりが位置を特定されると、掴握部材１２０７が伸ばされ、これらの掴握部材が、近位の血管壁を貫通して掴握する。図１２ｄにおいて、管が掴握部材１２０８によって掴握されると、ロケータ部材は再び引き込まれ、それから、デバイスは他の例と同じように使用される。
【００２９】
図１３（ａ、ｂ、ｃ、ｄ、ｅ）は、例示的な穿刺傷エバータデバイスの概略的な例示である。図１３ａは、閉鎖された状態（高エネルギー状態）における穿刺傷エバータデバイスの側面切断図であり、該穿刺傷エバータデバイスは、血管の中の穿刺傷を通して配置される。１３０１は、エバータデバイスシース１３０３の中の内側管腔１３０２の中に引き込まれた状態における複数の掴握部材（最少で２つの部材を備えている）を示す。掴握部材１３０１は内側柱状構造１３０４に取り付けられている。図１３ｂは、内側柱状構造１３０６が伸ばされる作用によって伸ばされた掴握部材１３０５を例示している。図１３ｃは、噛み合いエリア１３０７において柱状構造から脱着されて独立して排出される掴握部材１３０８を例示している。図１３ｄは、掴握部材を伸ばすプランジャメカニズム１３１０とデバイスを制御するフィンガフランジまたはレスト１３０９とを有する、引き込まれた状態における外転デバイスの側面図である。図１３ｄは、プランジャメカニズム１３１１を押すことによって伸ばされる掴握部材を有する同じデバイスである。
【００３０】
図１４（ａ、ｂ、ｃ、ｄ）は、グリッパデバイスの別の例示的な実施形態であり、常在の形状記憶グリッパが使用されている。図１４ａにおいて、柱状コネクタを有する常在のグリッパ１４０２を有するグリッパデバイスシース１４０１は、ガイドワイヤ１４ａ−４を覆って血管１４０３に中に導入される。図１４ｂにおいて、導入後、グリッパ１４０６はシースから排出され、次に、把持部材１４０７が、穿刺傷を囲む近位の組織を貫通して把持する。図１４ｃにおいて、牽引（引っ張ること）が、柱状の基部で、グリッパシース１４０８とグリッパ部材とにかけられ、傷の縁１４０９を外転する。図１４ｄにおいて、閉鎖デバイス１４０１０は、グリッパデバイスを覆って配置され、外転された傷の縁の首で閉鎖され、傷の縁１４１１を閉鎖する。把持デバイス１４１２は柱状ホルダから脱着され、適切に保持されて閉鎖デバイス１４１０によって内側に移動することを防止され、閉鎖デバイスはグリッパデバイス１４１２によって外側に移動することを防止される。つまり、これがクリップと縫合糸との組み合わせである。
【００３１】
本発明に従った装置の任意の部分が、任意の多数の適切な材料またはその組み合わせから作られ得る。一部の用途において、部材は放射線不透過性であるか、または放射線不透過性になるようにコーティングされることが、望ましくなり得る。生体吸収性のポリマまたは化合物と、ステンレス鋼、ＭＰ３５、ニチノール、ニッケル−チタン合金、ケブラー、ナイロンポリエステルアクリル樹脂を含む非吸収性の合金および化合物と、金と、プラチナと、タンタルと、ニオブと、モリブデンと、ロジウムと、パラジウム銀と、ハフニウムと、タングステンと、イリジウムとから、部材は作られ得る。形状記憶を有する材料が有用であり得、その形状記憶特性が、開いた状態から閉鎖された状態への活動部材の作動のための力を提供し得る。ワイヤ、ファイバ、フィラメント、小さな棒、および他の突き出した、織り込まれた、または成型された形状の形式で、部材は作られ得る。適切な材料の例は、ピアノ線、超弾性形状記憶ワイヤ、クロム合金（ｃｈｒｏｍｉｕｍ  ａｌｌｏｗｓ）、チタンとニッケルとの合金、および他の弾性形状記憶材料を含む。適切な布地またはコーティングが多数の適切な材料から作られる。一部の用途において、ポリウレタン、ポリエチレン、ポリエステルウレタン（ｐｏｌｙｅｓｔｅｎｕｒｅｔｈａｎｅ）、ポリイミド、ポリエーテルイミド（ｏｌｙｅｔｈｒｅｉｍｉｄｅ）、ポリカーボネート、ポリシロキサン、ポリビニル、ヒドロキシエチルメタクリレート、同類のポリマ、これらのまたは他のポリマの共重合体を含む弾性特性を有する可撓性ポリマの材料、または凝固または脈管内膜の肥厚を防止するために（タクソールのような）薬剤を包埋されたポリマもしくは薬剤が溶出するポリマを使用することが望ましくなり得、放射線不透過性材料の追加に対する標識によって放射線不透過性にされ得る。
【００３２】
特定のサイズ、および上に開示された機器は、本発明の特定の実施形態を例示するために単に引用されている。本発明の使用は、様々なサイズおよび特性を有するコンポーネントを含み得るということが考えられる。本発明の範囲は添付の特許請求の範囲によって定義されるということが意図されている。
【図面の簡単な説明】
【００３３】
【図１】図１（ａ、ｂ）は、本発明に従った穿刺傷外転−引き込みデバイスの概略的な例示である。
【図２】図２（ａ、ｂ）は、本発明に従った穿刺傷外転−引き込みの概略的な例示である。
【図３】図３（ａ、ｂ）は、本発明に従った穿刺傷外転−引き込みの概略的な例示である。
【図４】図４（ａ、ｂ、ｃ）は、本発明に従った穿刺傷外転−引き込みの概略的な例示である。
【図５】図５（ａ、ｂ）は、本発明に従った穿刺傷外転−引き込みの概略的な例示である。
【図６】図６（ａ、ｂ）は、本発明に従った穿刺傷外転−引き込みの概略的な例示である。
【図７】図７（ａ、ｂ、ｃ）は、本発明に従ったデバイスを使用した、組織の開口部の縁の外転および引き込みの概略的な例示である。
【図８】図８（ａ、ｂ、ｃ、ｄ、ｅ、ｆ、ｇ）は、本発明に従った組織の開口部を閉鎖する方法におけるステップの概略的な例示である。
【図９】図９（ａ、ｂ、ｃ、ｄ、ｅ、ｆ）は、本発明に従った組織の開口部を閉鎖する方法におけるステップの概略的な例示である。
【図１０】記載無し
【図１１】記載無し
【図１２】記載無し
【図１３】記載無し
【図１４】記載無し
【図１】
0005520482.tif 000002
【図２】
0005520482.tif 000003
【図３】
0005520482.tif 000004
【図４】
0005520482.tif 000005
【図５】
0005520482.tif 000006
【図６】
0005520482.tif 000007
【図７】
0005520482.tif 000008
【図８】
0005520482.tif 000009
【図９】
0005520482.tif 000010
【図１０】
0005520482.tif 000011
【図１１】
0005520482.tif 000012
【図１２】
0005520482.tif 000013
【図１３】
0005520482.tif 000014
【図１４】
0005520482.tif 000015